【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
送信符号語を備える複数のシンボルを受信することと、前記複数のシンボルは、第１の変調および符号化方式によるデータシンボルを備えるシンボルからなる第１のグループと、第２の変調および符号化方式によるデータ変調されたパイロットシンボルを備えるシンボルからなる第２のグループとを含み、ここにおいて、前記データ変調されたパイロットシンボルからなる第２のグループは、パイロットシンボルの代わりに使用される、
前記シンボルからなる第１のグループおよび前記シンボルからなる第２のグループに対して適用可能な復調方式の間で適応的に切り換えることと、
前記複数のシンボルに対して硬判定復号を実行することと、
前記硬判定復号の結果を使用して、前記複数のシンボルに対して位相誤差を生成することと、
前記生成された位相誤差に少なくとも部分的に基づいて、前記複数のシンボルに対して位相補正を生成することと
を備える方法。
【請求項２】
前記データ変調されたパイロットシンボルに少なくとも部分的に基づいてキャリア位相誤差を決定すること
をさらに備える、請求項１に記載の方法。
【請求項３】
前記第２の変調および符号化方式は、前記第１の変調および符号化方式よりも信頼性の高い変調および符号化方式である、請求項１に記載の方法。
【請求項４】
前記復調方式の間で適応的に切り換えることは、
前記複数のシンボルのうちの１つのシンボルに対して、パイロットシンボルが発生すると予想されるとき、前記シンボルが発生するかどうか決定すること
を備える、請求項１に記載の方法。
【請求項５】
前記複数のシンボルに対して硬判定復号を実行することは、
パイロットシンボルが発生すると予想されるとき、前記シンボルは発生しないと決定すると、前記シンボルの硬判定復号を実行するために、前記第１の変調および符号化方式の第１のルックアップテーブル（ＬＵＴ）または第１の非ＬＵＴ関数を使用することと、
パイロットシンボルが発生すると予想されるとき、前記シンボルは発生すると決定すると、前記シンボルの硬判定復号を実行するために、前記第２の変調および符号化方式の第２のルックアップテーブルまたは第２の非ＬＵＴ関数を使用することと
を備える、請求項４に記載の方法。
【請求項６】
前記生成された位相補正に従って複数の位相補正された受信シンボルを生成するために、前記複数の受信シンボルの前記シンボルを逆回転すること
をさらに備える、請求項１に記載の方法。
【請求項７】
前記複数の位相補正された受信シンボルから複数の事前対数尤度比（ＬＬＲ）を生成すること、前記複数の事前ＬＬＲは、前記送信符号語の複数のビットを表す、
をさらに備える、請求項６に記載の方法。
【請求項８】
前記複数の事前ＬＬＲを生成することは、
前記複数の位相補正されたシンボルのうちの１つの位相補正されたシンボルに対して、前記位相補正されたシンボルが、パイロットシンボルが発生すると予想されるときに発生するかどうか決定すること
を備える、請求項７に記載の方法。
【請求項９】
パイロットシンボルが発生すると予想されるとき、前記位相補正されたシンボルは発生しないと決定すると、前記位相補正されたシンボルから第１の数の事前ＬＬＲを生成することと、
パイロットシンボルが発生すると予想されるとき、前記位相補正されたシンボルは発生すると決定すると、前記位相補正されたシンボルから第２の数の事前ＬＬＲを生成することと、前記第２の数の事前ＬＬＲは前記第１の数の事前ＬＬＲよりも小さい、
をさらに備える、請求項８に記載の方法。
【請求項１０】
前記送信符号語を復号するために前記複数の事前ＬＬＲを復号器に供給することと、
前記復号器の出力において複数の軟事後ＬＬＲを収集することと、前記軟事後ＬＬＲは、前記送信符号語の前記複数のビットを表す、
をさらに備える、請求項７に記載の方法。
【請求項１１】
ワイヤレス通信のための受信デバイスであって、
プロセッサと、
前記プロセッサと電子通信するメモリと、
前記メモリに記憶され、
送信符号語を備える複数のシンボルを受信し、前記複数のシンボルは、第１の変調および符号化方式によるデータシンボルを備えるシンボルからなる第１のグループと、第２の変調および符号化方式によるデータ変調されたパイロットシンボルを備えるシンボルからなる第２のグループとを含み、ここにおいて、前記データ変調されたパイロットシンボルからなる第２のグループは、パイロットシンボルの代わりに使用される、
前記シンボルからなる第１のグループおよび前記シンボルからなる第２のグループに対して適用可能な復調方式の間で適応的に切り換え、
前記複数のシンボルに対して硬判定復号を実行し、
前記硬判定復号の結果を使用して、前記複数のシンボルに対して位相誤差を生成し、
前記生成された位相誤差に少なくとも部分的に基づいて、前記複数のシンボルに対して位相補正を生成する
ように前記プロセッサによって実行可能である命令と
を備える受信デバイス。
【請求項１２】
前記命令が、
前記データ変調されたパイロットシンボルに少なくとも部分的に基づいてキャリア位相誤差を決定する
ように前記プロセッサによって実行可能である、請求項１１に記載のデバイス。
【請求項１３】
前記第２の変調および符号化方式は、前記第１の変調および符号化方式よりも信頼性の高い変調および符号化方式である、請求項１１に記載のデバイス。
【請求項１４】
前記復調方式の間で適応的に切り換える前記命令が、
前記複数のシンボルのうちの１つのシンボルに対して、パイロットシンボルが発生すると予想されるとき、前記シンボルが発生するかどうか決定する
ように前記プロセッサによって実行可能である、請求項１１に記載のデバイス。
【請求項１５】
前記複数のシンボルに対して硬判定復号を実行する前記命令が、
パイロットシンボルが発生すると予想されるとき、前記シンボルは発生しないと決定すると、前記シンボルの硬判定復号を実行するために、前記第１の変調および符号化方式の第１のルックアップテーブルまたは第１の非ＬＵＴ関数を使用し、
パイロットシンボルが発生すると予想されるとき、前記シンボルは発生すると決定すると、前記シンボルの硬判定復号を実行するために、前記第２の変調および符号化方式の第２のルックアップテーブルまたは第２の非ＬＵＴ関数を使用する
ように前記プロセッサによって実行可能である、請求項１４に記載のデバイス。
【請求項１６】
前記命令が、
前記シンボルに対する生成された位相補正に従って複数の位相補正された受信シンボルを生成するために、前記複数の受信シンボルの前記シンボルを逆回転する
ように前記プロセッサによって実行可能である、請求項１１に記載のデバイス。
【請求項１７】
前記命令が、
前記複数の位相補正された受信シンボルから複数の事前対数尤度比（ＬＬＲ）を生成し、前記複数の事前ＬＬＲは、前記送信符号語の複数のビットを表す、
ように前記プロセッサによって実行可能である、請求項１６に記載のデバイス。
【請求項１８】
前記複数の事前ＬＬＲを生成する前記命令が、
前記複数の位相補正されたシンボルのうちの１つの位相補正されたシンボルに対して、前記位相補正されたシンボルが、パイロットシンボルが発生すると予想されるときに発生するかどうか決定する
ように前記プロセッサによって実行可能である、請求項１７に記載のデバイス。
【請求項１９】
前記位相誤差を生成する前記命令が、
パイロットシンボルが発生すると予想されるとき、前記位相補正されたシンボルは発生しないと決定すると、前記位相補正されたシンボルから第１の数の事前ＬＬＲを生成し、
パイロットシンボルが発生すると予想されるとき、前記位相補正されたシンボルは発生すると決定すると、前記位相補正されたシンボルから第２の数の事前ＬＬＲを生成し、前記第２の数の事前ＬＬＲは前記第１の数の事前ＬＬＲよりも小さい、
ように前記プロセッサによって実行可能である、請求項１８に記載のデバイス。
【請求項２０】
前記命令が、
前記送信符号語を復号するために前記複数の事前ＬＬＲを復号器に供給し、
前記復号器の出力において複数の軟事後ＬＬＲを収集し、前記軟事後ＬＬＲは、前記送信符号語の前記複数のビットを表す、
ように前記プロセッサによって実行可能である、請求項１７に記載のデバイス。
【手続補正２】
【補正対象書類名】明細書
【補正対象項目名】００９２
【補正方法】変更
【補正の内容】
【００９２】
[0101]  本開示の上記の説明は、当業者が本開示を作製および使用するために提供される。本開示の様々な修正形態は、当業者には容易に明らかになるであろう。本明細書で定義される一般的原理は、本開示の趣旨または範囲から逸脱することなく、他の変形形態に適用され得る。本開示全体にわたって、「例」または「例示的な」という用語は例または実例の一例を示し、言及された例に対する何らかの性能を暗示または必要とするものではない。したがって、本開示は、本明細書で説明する例および設計に限定されることを意図するものではなく、本明細書で開示される、原理および新規な特徴と一致する最も広い範囲に適合するべきである。
以下に、本願出願の当初の特許請求の範囲に記載された発明を付記する。
［Ｃ１］
ワイヤレス通信信号の符号化率の望ましくない増加を緩和する方法であって、
送信符号語を備える複数のシンボルを受信することと、前記複数のシンボルは、第１の変調および符号化方式によるデータシンボルからなる第１のグループと、第２の変調および符号化方式によるデータ変調されたパイロットシンボルからなる第２のグループとを含み、ここにおいて、前記データ変調されたパイロットシンボルからなる第２のグループは、パイロットシンボルの代わりに使用される、
前記複数のシンボルからなる各グループに対して適用可能な復調方式の間で適応的に切り換えることと
を備える方法。
［Ｃ２］
前記データ変調されたパイロットシンボルからなる第２のグループに少なくとも部分的に基づいてキャリア位相誤差を決定すること
をさらに備える、Ｃ１に記載の方法。
［Ｃ３］
前記第２の変調および符号化方式は、前記第１の変調および符号化方式よりも信頼性の高い変調および符号化方式である、Ｃ１に記載の方法。
［Ｃ４］
前記復調方式の間で適応的に切り換えることは、
各シンボルに対して、パイロットシンボルが発生すると予想されるとき、前記シンボルが発生するかどうか決定すること
を備える、Ｃ１に記載の方法。
［Ｃ５］
パイロットシンボルが発生すると予想されるとき、前記シンボルは発生しないと決定すると、前記シンボルの硬判定復号を実行するために、前記第１の変調および符号化方式の第１のルックアップテーブル（ＬＵＴ）または第１の非ＬＵＴ関数を使用することと、
パイロットシンボルが発生すると予想されるとき、前記シンボルは発生すると決定すると、前記シンボルの硬判定復号を実行するために、前記第２の変調および符号化方式の第２のルックアップテーブルまたは第２の非ＬＵＴ関数を使用することと
をさらに備える、Ｃ４に記載の方法。
［Ｃ６］
前記硬判定復号の結果を使用して、前記複数の受信シンボルの各シンボルに対して位相誤差を生成することと、
前記生成された位相誤差に基づいて、前記複数の受信シンボルの各シンボルに対して位相補正を生成すること
をさらに備える、Ｃ５に記載の方法。
［Ｃ７］
前記生成された位相補正に従って複数の位相補正された受信シンボルを生成するために、前記複数の受信シンボルの前記シンボルを逆回転すること
をさらに備える、Ｃ６に記載の方法。
［Ｃ８］
前記複数の位相補正された受信シンボルから複数の事前対数尤度比（ＬＬＲ）を生成すること、前記複数の事前ＬＬＲは、前記送信符号語の複数のビットを表す、
をさらに備える、Ｃ７に記載の方法。
［Ｃ９］
前記複数の事前ＬＬＲを生成することは、
各位相補正されたシンボルに対して、前記位相補正されたシンボルが、パイロットシンボルが発生すると予想されるときに発生するかどうか決定すること
を備える、Ｃ８に記載の方法。
［Ｃ１０］
パイロットシンボルが発生すると予想されるとき、前記位相補正されたシンボルは発生しないと決定すると、前記位相補正されたシンボルから第１の数の事前ＬＬＲを生成することと、
パイロットシンボルが発生すると予想されるとき、前記位相補正されたシンボルは発生すると決定すると、前記位相補正されたシンボルから第２の数の事前ＬＬＲを生成することと、前記第２の数の事前ＬＬＲは前記第１の数の事前ＬＬＲよりも小さい、
をさらに備える、Ｃ９に記載の方法。
［Ｃ１１］
前記送信符号語を復号するために前記複数の事前ＬＬＲを復号器に供給することと、
前記復号器の出力において複数の軟事後ＬＬＲを収集することと、前記軟事後ＬＬＲは、送信符号語の前記複数のビットを表す
をさらに備える、Ｃ８に記載の方法。
［Ｃ１２］
ワイヤレス通信信号の符号化率の望ましくない増加を緩和するように構成された受信デバイスであって、
プロセッサと、
前記プロセッサと電子通信するメモリと、
前記メモリに記憶され、
送信符号語を備える複数のシンボルを受信し、前記複数のシンボルは、第１の変調および符号化方式によるデータシンボルからなる第１のグループと、第２の変調および符号化方式によるデータ変調されたパイロットシンボルからなる第２のグループとを含み、ここにおいて、前記データ変調されたパイロットシンボルからなる第２のグループは、パイロットシンボルの代わりに使用される、
前記複数のシンボルからなる各グループに対して適用可能な復調方式の間で適応的に切り換える
ように前記プロセッサによって実行可能である命令と
を備える受信デバイス。
［Ｃ１３］
前記命令が、
前記データ変調されたパイロットシンボルからなる第２のグループに少なくとも部分的に基づいてキャリア位相誤差を決定する
ように前記プロセッサによって実行可能である、Ｃ１２に記載のデバイス。
［Ｃ１４］
前記第２の変調および符号化方式は、前記第１の変調および符号化方式よりも信頼性の高い変調および符号化方式である、Ｃ１２に記載のデバイス。
［Ｃ１５］
前記復調方式の間で適応的に切り換える前記命令が、
各シンボルに対して、パイロットシンボルが発生すると予想されるとき、前記シンボルが発生するかどうか決定する
ように前記プロセッサによって実行可能である、Ｃ１２に記載のデバイス。
［Ｃ１６］
前記命令が、
パイロットシンボルが発生すると予想されるとき、前記シンボルは発生しないと決定すると、前記シンボルの硬判定復号を実行するために、前記第１の変調および符号化方式の第１のルックアップテーブルまたは第１の非ＬＵＴ関数を使用し、
パイロットシンボルが発生すると予想されるとき、前記シンボルは発生すると決定すると、前記シンボルの硬判定復号を実行するために、前記第２の変調および符号化方式の第２のルックアップテーブルまたは第２の非ＬＵＴ関数を使用する
ように前記プロセッサによって実行可能である、Ｃ１５に記載のデバイス。
［Ｃ１７］
前記命令が、
前記硬判定復号の結果を使用して、前記複数の受信シンボルの各シンボルに対して位相誤差を生成し、
前記生成された位相誤差に基づいて、前記複数の受信シンボルの各シンボルに対して位相補正を生成する
ように前記プロセッサによって実行可能である、Ｃ１６に記載のデバイス。
［Ｃ１８］
前記命令が、
前記シンボルに対する前記生成された位相補正に従って複数の位相補正された受信シンボルを生成するために、前記複数の受信シンボルの前記シンボルを逆回転する
ように前記プロセッサによって実行可能である、Ｃ１７に記載のデバイス。
［Ｃ１９］
前記命令が、
前記複数の位相補正された受信シンボルから複数の事前対数尤度比（ＬＬＲ）を生成し、前記複数の事前ＬＬＲは、前記送信符号語の複数のビットを表す
ように前記プロセッサによって実行可能である、Ｃ１８に記載のデバイス。
［Ｃ２０］
前記複数の事前ＬＬＲを生成する前記命令が、
各位相補正されたシンボルに対して、前記位相補正されたシンボルが、パイロットシンボルが発生すると予想されるときに発生するかどうか決定する
ように前記プロセッサによって実行可能である、Ｃ１９に記載のデバイス。
［Ｃ２１］
前記位相誤差を生成する前記命令が、
パイロットシンボルが発生すると予想されるとき、前記位相補正されたシンボルは発生しないと決定すると、前記位相補正されたシンボルから第１の数の事前ＬＬＲを生成し、
パイロットシンボルが発生すると予想されるとき、前記位相補正されたシンボルは発生すると決定すると、前記位相補正されたシンボルから第２の数の事前ＬＬＲを生成し、前記第２の数の事前ＬＬＲは前記第１の数の事前ＬＬＲよりも小さい
ように前記プロセッサによって実行可能である、Ｃ２０に記載のデバイス。
［Ｃ２２］
前記命令が、
前記送信符号語を復号するために前記複数の事前ＬＬＲを復号器に供給し、
前記復号器の出力において複数の軟事後ＬＬＲを収集し、前記軟事後ＬＬＲは、前記送信符号語の前記複数のビットを表す
ように前記プロセッサによって実行可能である、Ｃ１９に記載のデバイス。
［Ｃ２３］
ワイヤレス通信信号の符号化率の望ましくない増加を緩和する装置であって、
送信符号語を備える複数のシンボルを受信するための手段と、前記複数のシンボルは、第１の変調および符号化方式によるデータシンボルからなる第１のグループと、第２の変調および符号化方式によるデータ変調されたパイロットシンボルからなる第２のグループとを含み、ここにおいて、前記データ変調されたパイロットシンボルからなる第２のグループは、パイロットシンボルの代わりに使用される、
前記複数のシンボルからなる各グループに対して適用可能な復調方式の間で適応的に切り換えるための手段と
を備える装置。
［Ｃ２４］
前記データ変調されたパイロットシンボルからなる第２のグループに少なくとも部分的に基づいてキャリア位相誤差を決定すること
をさらに備える、Ｃ２３に記載の装置。
［Ｃ２５］
前記復調方式の間で適応的に切り換えるための手段は、
各シンボルに対して、パイロットシンボルが発生すると予想されるとき、前記シンボルが発生するかどうか決定するための手段
を備える、Ｃ２３に記載の装置。
［Ｃ２６］
前記シンボルは、パイロットシンボルが発生すると予想されるときに発生しないと決定すると、前記シンボルの硬判定復号を実行するために、前記第１の変調および符号化方式の第１のルックアップテーブルまたは第１の非ＬＵＴ関数を使用するための手段と、
パイロットシンボルが発生すると予想されるとき、前記シンボルは発生すると決定すると、前記シンボルの硬判定復号を実行するために、前記第２の変調および符号化方式の第２のルックアップテーブルまたは第２の非ＬＵＴ関数を使用するための手段と
をさらに備える、Ｃ２５に記載の装置。
［Ｃ２７］
ワイヤレス通信信号の符号化率の望ましくない増加を緩和するためのコンピュータプログラム製品であって、
送信符号語を備える複数のシンボルを受信し、前記複数のシンボルは、第１の変調および符号化方式によるデータシンボルからなる第１のグループと、第２の変調および符号化方式によるデータ変調されたパイロットシンボルからなる第２のグループとを含み、ここにおいて、前記データ変調されたパイロットシンボルからなる第２のグループは、パイロットシンボルの代わりに使用される、
前記複数のシンボルからなる各グループに対して適用可能な復調方式の間で適応的に切り換える
ようにプロセッサによって実行可能な命令を記憶する非一時的なコンピュータ可読媒体を備えるコンピュータプログラム製品。
［Ｃ２８］
前記命令が、
前記データ変調されたパイロットシンボルからなる第２のグループに少なくとも部分的に基づいてキャリア位相誤差を決定する
ように前記プロセッサによって実行可能である、Ｃ２７に記載のコンピュータプログラム製品。
［Ｃ２９］
前記復調方式の間で適応的に切り換える前記命令が、
各シンボルに対して、パイロットシンボルが発生すると予想されるとき、前記シンボルが発生するかどうか決定する
ように前記プロセッサによって実行可能である、Ｃ２７に記載のコンピュータプログラム製品。
［Ｃ３０］
前記命令が、
パイロットシンボルが発生すると予想されるとき、前記シンボルは発生しないと決定すると、前記シンボルの硬判定復号を実行するために、前記第１の変調および符号化方式の第１のルックアップテーブルまたは第１の非ＬＵＴ関数を使用し、
パイロットシンボルが発生すると予想されるとき、前記シンボルは発生すると決定すると、前記シンボルの硬判定復号を実行するために、前記第２の変調および符号化方式の第２のルックアップテーブルまたは第２の非ＬＵＴ関数を使用する
ように前記プロセッサによって実行可能である、Ｃ２９に記載のコンピュータプログラム製品。